(57)【要約】【課題】抗菌性、変色防止器材として、いろいろな場所でさまざまな商品に対して手軽に用いることができる抗菌物体としての棒状または板状体を提供することを課題とする。【解決手段】棒状または板状体の基体１の表面に抗菌性金属よりなるメッキ層または金属薄膜層などの金属被膜層２を設けたことを特徴とする。【選択図】    図２
2004183029.tif 000002
【特許請求の範囲】
【請求項１】
棒状または板状の基体の表面に抗菌性金属よりなるメッキ層または金属薄膜層などの被膜層を設けたことを特徴とする抗菌機能を有する棒状または板状体。
【請求項２】
前記抗菌性金属は銀、金、白金、銅、ニッケル、錫、亜鉛、パラジウム、ビスマスおよびクロムの１種または２種以上の金属またはこれらの合金であることを特徴とする請求項１に記載の抗菌機能を有する棒状または板状体。
【請求項３】
前記抗菌性金属は酸化チタンを主成分とする合金であることを特徴とする請求項１に記載の抗菌機能を有する棒状または板状体。
【請求項４】
前記基体はアルミニウムまたはアルミニウム合金の棒状または板状体であることを特徴とする請求項１ないし請求項３のいずれかに記載の抗菌機能を有する棒状または板状体。
【請求項５】
前記基体は中空であることを特徴とする請求項１ないし請求項４のいずれかに記載の抗菌機能を有する棒状または板状体。
【請求項６】
簀の子状または台状に組み合わせ可能な係合部を有することを特徴とする請求項１ないし請求項５のいずれかに記載の抗菌機能を有する棒状または板状体。
【請求項７】
プレス加工や一部を展開することによって簀の子または台を形成可能に構成されていることを特徴とする請求項１ないし請求項５のいずれかに記載の抗菌機能を有する棒状または板状体。
【発明の詳細な説明】
【０００１】
【発明の属する技術分野】
本発明は、抗菌機能を有する棒状または板状体に関し、特に金属や金属イオンの抗菌機能を用いた棒状または板状体に関する。
【０００２】
【従来の技術】
ある種の金属または金属イオンが抗菌性を示すことが知られている。たとえば、ステンレス鋼材に銀を含有させ、それに脱スケール処理などを施して抗菌性および耐食性に優れたステンレス鋼材を製造する方法が提案されている（例えば、特許文献１参照）。また、繊維体にオレンジピール（肌の粗い表面状態）を呈する抗菌金属被膜を設けることによって抗菌性繊維を実現する方法が提案されている（例えば、特許文献２参照）。また、便器の洗浄水との接触部分に、抗菌金属イオンと抗菌金属の双方が固定された固形物を設けて抗菌性を長期に亙って保持する方法が提案されている（例えば、特許文献３参照）。
【０００３】
さらに、抗菌金属を炭酸カルシウム、リン酸カルシウム、セラミック材料などに吸着させたものと、活性、安定性を増すために加える酸化亜鉛ウイスカからなる構成物質を電気炊飯器の中蓋などに用い、電気炊飯器内の合成樹脂部材への細菌、かびなどの発生、鉄錆の発生を防止する方法が提案されている（例えば、特許文献４参照）。また、同じ構成物質で洗濯機の洗濯槽、脱水槽、洗濯ロータ、配水管、排水ホースなどを構成し、洗濯機や洗濯機の置き場などに細菌、藻、かびなどの微生物が発生しないようにし、かつ鉄錆の発生を防止する方法が提案されている（例えば、特許文献５参照）。
【０００４】
ところで、従来のこのような発明は、あくまで製造段階で商品に金属または金属イオンによる抗菌の処理を施すものであり、すでに商品化されている商品や利用されている商品に後から手軽に抗菌性を付与するという観点から考慮されたものではなかった。また、このような金属または金属イオンには、このような抗菌性に加えて食品や繊維製品などの変色を防ぐ効果があることが確かめられたが、この点が積極的に利用されているものはなかった。
【０００５】
【特許文献１】
特開２００１−１１６６０号公報（第３‐１７頁、）
【特許文献２】
特開２００１−２３４４６８号公報（第３−５頁、第１図）
【特許文献３】
特開２０００−２６２２０号公報（第３−１０頁、第１−２図）
【特許文献４】
特開平５−１１１４２７号公報（第２−４頁、第１図）
【特許文献５】
特開平５−１１１５９５号公報（第２−４頁、第１図）
【０００６】
【発明が解決しようとする課題】
上述のごとく、従来の抗菌金属を用いた商品は、製造段階で商品に金属または金属イオンによる抗菌性の処理を施しているため、処理を施した商品だけに恩恵が与えられ、すでに製造された商品、すでに購入され使用されている商品に抗菌処理することは考慮されていなかった。さらに、金属または金属イオンの食品や繊維製品などの変色を防ぐ効果が積極的に利用されているものもなかった。
本発明は、比較的簡単な方法でこの問題を解決して、抗菌性、変色防止器材として、いろいろな場所でさまざまな商品に対して手軽に用いることができる抗菌物体としての棒状または板状体を提供することを課題とする。
【０００７】
【課題を解決するための手段】
上記課題を達成するため、本発明は棒状または板状の基体の表面に抗菌性金属よりなるメッキ層または金属薄膜層などの被膜層を設けたことを特徴とする。
これにより、この抗菌機能を有する棒状または板状体を抗菌性を必要とするところに使用することによって、細菌、かびなどの微生物の発生を妨げ、食品や衣類などの変色を抑制することができる。たとえば、スーパーや寿司店などでマグロなどの魚肉を冷蔵で陳列・貯蔵する際に、本発明の棒状または板状体を敷いた上に並べるようにすると、腐敗しにくくなるとともに、いわゆる油やけや変色を防止することができる。
【０００８】
前記抗菌性金属は銀、金、白金、銅、ニッケル、錫、亜鉛、パラジウム、ビスマスおよびクロムの１種または２種以上の金属またはこれらの合金であることを特徴とする。
これにより、比較的容易に最適な抗菌金属または合金を選んで抗菌機能を有する棒状または板状体を形成することができる。
【０００９】
前記抗菌性金属は酸化チタンを主成分とする合金であることを特徴とする。
これにより、チタン合金を用いて抗菌機能を有する棒状または板状体を形成することができる。
【００１０】
前記基体はアルミニウムまたはアルミニウム合金で形成されていることを特徴とする。
これにより、抗菌機能を有する棒状または板状体を軽量にかつ安価に製造することができる。
【００１１】
前記基体は中空であることを特徴とする。
これにより、抗菌機能を有する棒状または板状体をより軽量にかつ安価に製造することができる。
【００１２】
棒状または板状体に簀の子状または台状に組み合わせ可能な係合部を有することを特徴とする。
これにより、本発明の棒状または板状体を組み合わせて、抗菌機能を有する簀の子や取り台を構成して、冷蔵庫や冷蔵陳列台などに用いるのに使い勝手をよくすることができる。
【００１３】
棒状または板状体が、展開することによって簀の子または台を形成可能に構成されていることを特徴とする。
これにより、比較的容易に抗菌機能を有する簀の子や取り台を形成することができ、冷蔵庫や冷蔵陳列台などに使い勝手をよく用いることができる。
【００１４】
【発明の実施の形態】
以下、本発明にかかる抗菌機能を有する棒状または板状体を添付図面を参照にして詳細に説明する。
【００１５】
図１は、本発明にかかる抗菌機能を有する棒状または板状体の一実施の形態の外観図である。図１（ａ）は丸棒状体、図１（ｂ）は板状体の例である。また、図２にはこれらの断面図を示す。図２において、符号１は本実施の形態の棒状または板状体を構成する基体であり、符号２は抗菌性金属のメッキ層、薄膜層などの金属被膜層である。たとえば、基体１はアルミニウムまたはアルミニウム合金で中空に形成されており、抗菌性金属の金属被膜層２として電解液中の処理により銀の硬質陽極酸化被膜を形成したものを用いた。これにより、本実施の形態の棒状または板状体は金色にメッキされる。基体１は必ずしも中空である必要はないが、中空にすることによって、軽量にできるとともに、材料費の節約を図ることができる。
【００１６】
このように構成した本発明の棒状または板状体は、その表面の抗菌性金属の金属被膜層２の影響で、細菌、かびなどの微生物による汚染や鉄錆の発生による汚染、酸化による変色、変質を抑える効果がある。
発明者は、アルミニウムＡ５０５２材の基体１に銀の陽極酸化被膜約３０μｍを形成した本発明の棒状または板状体の一実施の形態を用いて実際に抗菌試験、炊飯の腐敗変色試験、浴室内でのカビの発生試験を行った。その結果、十分な抗菌効果、腐敗変色阻止効果、防さび効果が確かめられている。
【００１７】
さらに、この実施の形態を冷蔵庫内に入れておくと、冷蔵庫内の悪臭を除去して、食品の鮮度を維持する働きがあった。ことに鮮魚や肉類や生野菜などを本実施の形態の棒状または板状体と一緒に保存すると鮮度が維持できるとともに、これらの食品の変色を抑える働きがあった。
したがって、たとえば、スーパーや寿司店などでマグロなどの魚肉を冷蔵で陳列・貯蔵する際に、本実施の形態の棒状または板状体を敷いた上に並べるようにすると、腐敗しにくくなるとともにいわゆる油やけや変色を防止することができ、実際の鮮度と見た目の新鮮感をともに保つことができる。
また、洋服ダンスや押入れなどに本実施の形態の棒状または板状体を入れておくことで、白い衣類やシーツなどの黄ばみを抑えることができる。さらに、洗濯機の洗濯槽内に入れると、洗濯機浴槽内や洗濯機置き場周辺でのかびなどの発生を防止することが可能になる。同様に浴室などにおいておくと、浴槽や周辺のタイルなどにカビが発生するのを抑えることができる。あるいは電気炊飯器の中に入れて炊飯すると、炊けた飯が美味しくなるとともに飯の日持ちが良くなって腐敗しにくい。
【００１８】
図３および図４に、本発明の棒状または板状体の他の実施の形態の外観図を示す。図の（ａ）は単体の外観図であり、図の（ｂ）はそれを組み合わせた状態の図であって、図３は丸棒状体の、図４は板状体の例である。図３および図４において、符号３はそれぞれの係合部を示している。
これらの例は、図１に示した例に相互に組み合わせが可能な係合部３としての窪みを設けたもので、このように構成することによって、図３および図４に示すように、本実施の形態の丸棒状体や板状体を組合わせて容易に簀の子状の構成やまな板や取り台状の構成を形成することができる。このような構成の上に刺身などの魚の切り身や肉類を並べ、その上にラップを被せて冷蔵することで、魚肉や肉類の鮮度を保ち、腐敗や変色を防止することができる。
また、本実施の形態の棒状または板状体の組み合わせを押入れの下などに形成しておき、その上に衣類や夜具を置くようにすると、湿気取りと変色防止の効用を兼ねた部材として用いることができる。
【００１９】
図５に、本発明の板状体のさらに他の実施の形態の外観図を示す。この実施の形態は、板状に形成されたアルミニウム基体に複数の穴４とプレス加工部分５を設けて、このプレス加工部分５を足にして全体で簀の子を構成できるようにし、その簀の子の全表面または一部表面部分に抗菌性金属の金属皮膜層を設けたもので、図５（ａ）はその上面図、図５（ｂ）はその側面図である。
このようにすることによって、本発明の板状体から、比較的簡易に、かつ安価に簀の子を形成することができ、その上に魚の切り身や肉類を並べて冷蔵することで、魚肉や肉類の鮮度を保ち、腐敗や変色を防止するようにすることができる。
【００２０】
以上、本発明を実施の形態に沿って説明したが、本発明はこの実施の形態に限られるものではなく、本発明の趣旨を逸脱しない限りでさまざまな対応が考えられる。例えば、以上の説明では、基体１としてアルミニウム材を用いた場合について述べたが、アルミニウム合金や他の軽金属も同様に用いることができる。また、抗菌性金属の金属被膜層２として銀被膜を用いたが、金、白金、銅、ニッケル、錫、亜鉛、パラジウム、ビスマスおよびクロムの１種または２種以上の金属またはこれらの合金を用いても同様の効果が期待できる。あるいは酸化チタンを主成分とする合金も同様の抗菌効果があることが認められている。
また、図３および図４に示す実施の形態で、係合部３を棒状または板状体に設けた窪みとして示したが、これに限られるものではなく、複数の棒状または板状体を相互に係止めできる構成であればどのようなものでも差し支えない。
また、図５の構成で、穴４やプレス加工部分５の位置や大きさは、本発明の主旨を逸脱しない範囲で自由に設定することができる。また足をこのようなプレス加工による構成でなく、板部の一部を折り曲げて展開して足にしてもいいし、別体に形成した足をスポット止めやねじ止めなどで取り付けるようにすることも可能である。
【００２１】
【発明の効果】
以上説明したように、本発明は、表面に抗菌性金属からなる金属被膜層を有する棒状体、板状体を提案している。この棒状体、板状体を肉類や刺身などの食品に添えて保存すると食品の変色、腐敗が防止されいつまでも鮮度を保つことができる。また、押入れや洋服ダンスなどにおいて、この抗菌機能を有する棒状体、板状体を並べた上に衣類を収納するようにすると、衣類の黄ばみや変色を防止することができる。
また、炊飯器、洗濯機、冷蔵庫、浴槽などに用いることにより、これらの商品があたかも製造時に抗菌処理を受けた商品であるかのように、細菌、かびなどの微生物の発生を抑制することができる。本発明の抗菌機能を有する棒状または板状体は小型軽量であるため、使用上に制約が少なく、種々の場所で活用でき、かつ、安価に提供できる利点がある。
【図面の簡単な説明】
【図１】本発明にかかる抗菌機能を有する棒状または板状体の実施の形態の外観図。
【図２】図１に示す棒状または板状体の断面図。
【図３】本発明にかかる抗菌機能を有する棒状体の他の実施の形態の外観図とそれを組合わせた状態の図。
【図４】本発明にかかる抗菌機能を有する板状体のさらに他の実施の形態の外観図とそれを組合わせた状態の図。
【図５】本発明にかかる抗菌機能を有する板状体のさらに他の実施の形態を展開した場合の上面図と側面図。
【符号の説明】
１  基体
２  金属被膜層
３  係合部
４  穴
５  プレス加工部
【図１】
2004183029.tif 000003
【図２】
2004183029.tif 000004
【図３】
2004183029.tif 000005
【図４】
2004183029.tif 000006
【図５】
2004183029.tif 000007